(57)【要約】【課題】既存の温風暖房装置に除湿装置を組み付けて手狭な設置面積の場所にでも簡単に設置できる安価な温室用吸湿式加温機を提供する。【解決手段】温室用吸湿式加温機１の加温機２は本体缶体６、バーナ燃焼筒４、バーナ室７、送風機付きバーナ８、バーナ室７と合流煙室９の間に配設された複数の熱風パイプ１０、合流煙室９と排煙室１１の間に配設された排煙パイプ１２、排煙室１１の煙突１３からなる。他方の吸湿装置３は貯留タンク１７の除湿剤を供給パイプ１８で供給される水分吸着器１９、加温機２のバーナ燃焼筒４に外嵌配置されて加熱によって、空気中の水分を吸着した除湿剤を蒸気と除湿剤に分離する気液分離部としての螺旋状パイプ５、除湿剤と共に貯留タンク１７に戻された蒸気を取り込んで水にし、温室外に排出する分離水蒸気排出パイプ２４を備えている。【選択図】図１
2008259459.tif 000002
【特許請求の範囲】
【請求項１】
単体で使用可能な加温機と、
単体で使用可能な吸湿装置と、
から成り、
前記加温機の燃焼発熱部に前記吸湿装置の気液分離部を係合させ前記加温機と前記吸湿装置の機能を一部兼用化させて一体に組み付けて成る、
ことを特徴とする温室用吸湿式加温機。
【請求項２】
前記加温機は、少なくとも
本体缶体と、
該本体缶体内に配設された前記燃焼発熱部となるバーナ燃焼筒と、
該バーナ燃焼筒が配置されたバーナ室と、
該バーナ室に一端が開口し他端が合流煙室に開口し前記本体缶体の長手方向に平行して延在する複数の熱風パイプと、
該複数の熱風パイプの外側に平行に配置され一端が前記合流煙室に開口し他端が排煙室に開口する複数の排煙パイプと、
を備え、
前記吸湿装置は、少なくとも
前記加温機の前記バーナ燃焼筒に外嵌可能な円筒状に形成され前記気液分離部となる螺旋状パイプと、
水分を吸収放出可能な除湿剤を備えた貯留タンクと、
該貯留タンクの除湿剤を供給パイプを介して供給される水分吸着器と、
該水分吸着器にて空気中の水分を吸着した前記除湿剤を前記螺旋状パイプに送出する第１の送り戻しパイプと、
該第１の送り戻しパイプに配設された流量調節バルブと、
前記螺旋状パイプによる加熱によって水分と除湿剤に分離された気液分離体を前記貯留タンクに送出する第２の送り戻しパイプと、
前記貯留タンクの上部に開口し外部延長部が温室から外部に延在して端部が開口する分離水蒸気排出パイプと、
を有する、
ことを特徴とする請求項１記載の温室用吸湿式加温機。
【発明の詳細な説明】
【技術分野】
【０００１】
本発明は、温室用吸湿式加温機に係わり、更に詳しくはハウス内に設置した加温機の機能を一部兼用して湿度吸収装置を組み付けて形成された温室用吸湿式加温機に関する。
【背景技術】
【０００２】
一般に、生物の生育について大きく作用するのは、光、温度、そして湿度である。湿度は相対湿度のことをいう場合が一般的で、この相対湿度（以下、単に湿度という）が高いときは、僅かの温度の低下で周囲の物に露点が結ばれる。
【０００３】
露点が果実の表面に付着すると裂果現象を招いて良好な果実の収量が減少する。また、露点が葉面や茎葉に付着すると病斑が発生しやすくなる。病斑は、その形状や色が植物が罹った病気によっても異なるが、いずれにしても植物が病気に罹ったことを示す警戒信号である。
【０００４】
このような不具合を解消するために、加温ハウス等の室内空気の暖房と除湿とを、加熱再生可能な吸着液を用い、同時に、又は独立に制御して実行できる除湿式温風暖房装置が提案されている。（例えば、特許文献１参照。）
【特許文献１】特開昭６２−１８２５３４号公報（請求の範囲、第１図）
【発明の開示】
【発明が解決しようとする課題】
【０００５】
しかしながら、上記特許文献１の除湿式温風暖房装置は、除湿部と温風暖房部とが一体化されて不可分であり、既存の温風暖房装置に独立の除湿を組み付けて構成されたものではない。
【０００６】
このため、温風暖房だけでよいという温室に設置すると除湿部が余剰の設備となって設置面積を狭めるだけでなく、高価な除湿部の構成が無駄な投資となって不経済である。
本発明の課題は、上記従来の実情に鑑み、既存の温風暖房装置に除湿装置を組み付けて手狭な設置面積の場所にでも簡単に設置できる安価な温室用吸湿式加温機を提供することである。
【課題を解決するための手段】
【０００７】
本発明の温室用吸湿式加温機は、単体で使用可能な加温機と、単体で使用可能な吸湿装置と、から成り、上記加温機の燃焼発熱部に上記吸湿装置の気液分離部を係合させ上記加温機と上記吸湿装置の機能を一部兼用化させて一体に組み付けて成るように構成される。
【０００８】
この温室用吸湿式加温機において、上記加温機は、少なくとも本体缶体と、該本体缶体内に配設された上記燃焼発熱部となるバーナ燃焼筒と、該バーナ燃焼筒が配置されたバーナ室と、該バーナ室に一端が開口し他端が合流煙室に開口し上記本体缶体の長手方向に平行して延在する複数の熱風パイプと、該複数の熱風パイプの外側に平行に配置され一端が上記合流煙室に開口し他端が排煙室に開口する複数の排煙パイプと、を備え、上記吸湿装置は、少なくとも上記加温機の上記バーナ燃焼筒に外嵌可能な円筒状に形成され上記気液分離部となる螺旋状パイプと、水分を吸収放出可能な除湿剤を備えた貯留タンクと、該貯留タンクの除湿剤を供給パイプを介して供給される水分吸着器と、該水分吸着器にて空気中の水分を吸着した上記除湿剤を上記螺旋状パイプに送出する第１の送り戻しパイプと、該第１の送り戻しパイプに配設された流量調節バルブと、上記螺旋状パイプによる加熱により水分と除湿剤に分離された気液分離体を上記貯留タンクに送出する第２の送り戻しパイプと、上記貯留タンクの上部に開口し外部延長部が温室から外部に延在して端部が開口する分離水蒸気排出パイプと、を有するように構成される。
【発明の効果】
【０００９】
本発明によれば、単体で使用可能な加温機と単体で使用可能な吸湿装置とを一体に組み付けて温室用吸湿式加温機とするので、手狭な設置面積の場所にでも簡単に設置できる安価な温室用吸湿式加温機を提供することが可能となる。
【発明を実施するための最良の形態】
【００１０】
以下、本発明の実施の形態を図面に基づいて詳細に説明する。
【実施例１】
【００１１】
図１(a) は、本発明の一実施の形態における温室用吸湿式加温機を一部透視的に示す側面図であり、同図(b) は、その加温機部分の吸湿装置取り付け前の正面図、同図(c) は背面図である。
【００１２】
図１(a),(b),(c) に示すように、本例の温室用吸湿式加温機１は、単体でも使用可能な加温機２と、これも単体で使用可能な吸湿装置３とを用い、加温機２の燃焼発熱部であるバーナ燃焼筒４に吸湿装置３の気液分離部である螺旋状パイプ５を外嵌係合させて、全体を一体に組み付けて構成される。
【００１３】
この温室用吸湿式加温機１における加温機２は、少なくとも、本体缶体６と、この本体缶体６内に配設された上述した燃焼発熱部としてのバーナ燃焼筒４と、このバーナ燃焼筒４が配置されたバーナ室７を備えている。バーナ燃焼筒４には、送風機付きバーナ８のバーナ口が配置されている。
【００１４】
また、加温機２は、少なくとも、更に、上記のバーナ室７に一端が開口し、他端が合流煙室９に開口し本体缶体６の長手方向に平行して延在する複数の熱風パイプ１０を備えている。
【００１５】
また、加温機２は、少なくとも、更に、上記複数の熱風パイプ１０の外側に平行に配置され一端が合流煙室９に開口し他端が排煙室１１に開口する複数の排煙パイプ１２を備えている。上記の排煙室１１には、煙突１３が取り付けられおり、この煙突１３の先端は、特には図示しないが、温室の外に出るように配置されている。
【００１６】
また、加温機２のバーナ室７がある前面１４には、扉１５が、ヒンジ１６に支持されて開閉可能に設けられている。
この加温機２は、バーナ燃焼筒４で送風機付きバーナ８が燃焼して熱風を巻き起こす。この熱風は、８本の熱風パイプ１０を通って合流煙室９に噴き出し、合流煙室９から１６本の排煙パイプ１２に分散して流れ込み、排煙パイプ１２を介し放熱と輻射で本体缶体６の外殻を熱しながら排煙室１１に集合し、煙突１３から温室の外に排出される。
【００１７】
温室は、排煙パイプ１２を通る熱風によって熱せられた本体缶体６の外殻から放射される熱によって暖められる。
温室用吸湿式加温機１における他方の吸湿装置３は、少なくとも加温機２のバーナ燃焼筒４に外嵌可能な円筒状に形成され気液分離部としての上述した螺旋状パイプ５と、水分を吸収放出可能な除湿剤を備えた貯留タンク１７と、この貯留タンク１７の除湿剤を、矢印ａで示すように供給パイプ１８を介して供給される水分吸着器１９を備えている。
【００１８】
そして、吸湿装置３は、少なくとも更に、上記の水分吸着器１９により空気中の水分を吸着した除湿剤を、矢印ｂで示すように螺旋状パイプ５に送出する第１の送り戻しパイプ２１と、この第１の送り戻しパイプ２１に配設された流量調節バルブ２２と、螺旋状パイプ５において加熱により吸着した水分と元の除湿剤に分離された気液分離体を貯留タンク１７に送出する第２の送り戻しパイプ２３を備えている。
【００１９】
上記貯留タンク１７の上部には、分離水蒸気排出パイプ２４の蒸気取り入れ口が開口しており、分離水蒸気排出パイプ２４の外部延長部は、特には図示しないが、温室から外部に延在して配置されている。
【００２０】
本例において、貯留タンク１７に貯留される除湿剤には、トリエチレングリコールが用いられる。このトリエチレングリコールは、不図示のポンプによって貯留タンク１７から水分吸着器１９に送り込まれ、特には図示しないが、水分吸着器１９の垂れ幕式流路に注ぎ込まれ、垂れ幕流路に沿って落下しながら接触する空気中の水分を吸着する。
【００２１】
水分を吸着したトリエチレングリコールは、第１の送り戻しパイプ２１から下方に送り戻され、流量調節バルブ２２により、バーナ燃焼筒４の温度に応じて流量を調節されながら螺旋状パイプ５に送り込まれる。
【００２２】
螺旋状パイプを流れながらバーナ燃焼筒４からの加熱によって、１００℃以上に熱せられたトリエチレングリコールは、水分吸着器１９で吸着してきた水分を蒸気として放出する。この放出された蒸気とともにトリエチレングリコールは第２の送り戻しパイプ２３を通って貯留タンク１７に落下して貯留される。
【００２３】
一方の水蒸気は、分離水蒸気排出パイプ２４の蒸気取り入れ口に取り込まれ、外部延長部が下方向に傾斜して温室外部まで延在して配設された分離水蒸気排出パイプ２４内で熱交換により蒸気から冷えて水となり、温室外に排出される。
【００２４】
このように、本発明の温室用吸湿式加温機は、除湿剤の再生を、従来の加温機の機能を損なわないように加温機のバーナ燃焼筒を利用し、必要に応じて温室ハウスの加温と除湿を行うものである。
【００２５】
また、このように、加温機と除湿装置の機能を一部兼用とすることにより、据付面積が減少し、その分、作付け面積が広くなると共に、従来、加温機と除湿装置の個別に行ってきた取り扱いが一つに単純化されるので、作業が容易になる。
【図面の簡単な説明】
【００２６】
【図１】(a) は本発明の一実施の形態における温室用吸湿式加温機を一部透視的に示す側面図、(b) はその加温機部分の吸湿装置取り付け前の正面図、(c) は背面図である。
【符号の説明】
【００２７】
１      温室用吸湿式加温機
２      加温機
３      吸湿装置
４      バーナ燃焼筒
５      螺旋状パイプ
６      本体缶体
７      バーナ室
８      送風機付きバーナ
９      合流煙室
１０    熱風パイプ
１１    排煙室
１２    排煙パイプ
１３    煙突
１４    前面
１５    扉
１６    ヒンジ
１７    貯留タンク
１８    供給パイプ
１９    水分吸着器
２１    第１の送り戻しパイプ
２２    流量調節バルブ
２３    第２の送り戻しパイプ
２４    分離水蒸気排出パイプ
【図１】
2008259459.tif 000003